(57)【要約】      （修正有）【課題】簡単な機構と合理的な手段により、操作部材の操作によりロック部と受け部との係合又は係合が外れたかを検知することができる建具の開閉体用スイッチ装置を提供する。【解決手段】固定側の受け部８と、この受け部８に対して係脱する可動側のロック部１４を有するロック装置７と、このロック装置用の取付け台座と、ロック装置７のロック位置又は非ロック位置のいずれかを検知するスイッチを備える建具の開閉体用スイッチ装置であって、ロック部１４は、取付け台座に設けられた操作部材９の操作力によりロック位置又は非ロック位置のいずれかに移動し、一方スイッチ装置は、操作部材９の軸部と共働する係合ピン３８と連係する弧状の案内部を有すると共に、取付け台座にスライド可能に内設されたスライド部材４０と、このスライド部材４０の摺動片４１側に配置され、摺動片４１の位置変位によってＯＮ・ＯＦＦするスイッチとを含む。【選択図】図１９
2019157574.tif 000002
【特許請求の範囲】
【請求項１】
固定側の受け部と、この受け部に対して係脱する可動側のロック部を有するロック装置と、このロック装置用の取付け台座と、前記ロック装置のロック位置又は非ロック位置のいずれかを検知するスイッチを備える建具の開閉体用スイッチ装置であって、前記ロック部は、前記取付け台座に設けられた操作部材の操作力により前記ロック位置又は非ロック位置のいずれかに移動し、  一方、スイッチ装置は、前記取付け台座に前記操作部材の軸部が設けられていると共に、該軸部に一体的に設けられた駆動体に互いの連係部を介して接続するスライド部材と、このスライド部材の位置変位によってＯＮ・ＯＦＦするスイッチとを含み、前記互いの連係部は、前記操作部材の操作力により弧状の軌跡を描く係合部と、これに係合する係合用案内部であり、前記係合用案内部は、前記係合部が停止する上死点部分と下死点部分の間の中途部位に、該係合ピンが前記上死点部分又は下死点部分のいずれかの方向へ移行中に、前記ロック部が前記受け部から外れる又は前記ロック部が前記受け部に係合する態様に相応するスライド部材始動用のタイミング部分を有する建具の開閉体用スイッチ装置。
【請求項２】
前記係合用案内部は、全体として略弧状の溝又は切欠のいずれかに形成され、該係合用案内部の内周面に設けられた前記スライド部材始動用のタイミング部分は、少なくとも前記受け部から前記ロック部が外れる時と、一方、該受け部に該ロック部が係合する時の合計２個であることを特徴とする請求項１の建具の開閉体用スイッチ装置。
【請求項３】
前記ロック装置は取付け台座を有するクレセント錠であり、このクレセント錠を構成する受け部が開閉体としての引き違い外障子の召合わせ框に固定され、一方、ロック部を有する操作部材が前記取付け台座を介して前記外障子と対となる内障子の召合わせ框の見込み面に設けられ、該操作部材は、前記外障子と前記内障子が完全に閉じている場合には該操作部材を施錠位置まで回転させることができ、一方、前記内障子が開いている場合には前記操作部材の施錠方向への回転を阻止する回転阻止部材を備えていることを特徴とする請求項１の建具の開閉体用スイッチ装置。
【請求項４】
固定側の受け部と、この受け部に対して係脱する可動側のロック部を有するロック装置と、ロック装置用の取付け台座と、前記ロック装置のロック位置又は非ロック位置のいずれかを検知するスイッチを備える建具の開閉体用スイッチ装置であって、
前記ロック部は、前記取付け台座に設けられた操作部材の操作力により前記ロック位置又は非ロック位置のいずれかに移動し、スイッチ装置は、前記取付け台座に前記操作部材の軸部が設けられていると共に、該軸部に一体的に設けられた駆動体に互いの連係部を介して接続するスライド部材と、このスライド部材の位置変位によってＯＮ・ＯＦＦするスイッチとを含み、前記互いの連係部は、前記操作部材の操作力により軌跡を描く係合部と、これに係合する垂直長孔状の切欠部であり、前記垂直長孔状の切欠部は、前記係合腕が停止する上死点部分と下死点部分の間に、該係合腕が前記上死点部分又は下死点部分のいずれかの方向へ移行中に、前記ロック部が前記受け部から外れる又は前記ロック部が前記受け部に係合する態様に相応するスライド部材始動用のタイミング部分を有する、建具の開閉体用スイッチ装置。
【請求項５】
スイッチは、スライド部材が移動する方向に対応して、ロック部の非ロック状態を検出する第１スイッチと、ロック部のロックを検出する第２スイッチが所定間隔を有してスライド部材の移動方向に併設されていることを特徴とする請求項１または請求項４の建具の開閉体用スイッチ装置。
【請求項６】
取付け台座は、長板状底板と、この長板状底板の一端部側上面に設けられ、かつ、複数のスイッチを収納する収納部、この収納部に該取付け台座の長手方向に連設すると共に、前記長板状底板の他端部側上面に設けられ、かつ、操作部材の軸部が取り付けられる台座本体部及びこの台座本体部に形成された固定手段用取付け部を有する取付けベース板とから成ることを特徴とする請求項１または請求項４の建具の開閉体用スイッチ装置。
【請求項７】
請求項１または請求項４の建具の開閉体用スイッチ装置を主要部とするサッシであって、これらのサッシは、それぞれ枠体に固定側の受け部を備え、一方、前記受け部に対して係脱するロック部を有する可動側のロック装置が開閉体に設けられ、該開閉体は前記枠体に開閉自在に設けられていることを特徴とするサッシ。
【発明の詳細な説明】
【技術分野】
【０００１】
本発明は建具の開閉体用スイッチ装置及びサッシに関する。
【背景技術】
【０００２】
特許文献１の図１、図３、図４等には、「スイッチ装置が、いわゆるクレセントであり、このクレセント（クレセント錠）を構成する受け部が外障子の召合わせ框に固定され、一方、クレセントのハンドルを有する錠本体及び前記ハンドルの位置を検知するセンサが内障子の召合わせ框の見込み面に縦状態に固定されたサッシ」が記載されている。
【０００３】
さらに詳しく説明すると、特許文献１の図４には、クレセントの台座に関連付けて、該台座とは別個のセンサを構成する正面視三段形状の収納ボックスが縦方向に固定されていると共に、前記収納ボックスの一番低い下段部にはリードスイッチが内設され、クレセントのハンドルが施錠位置へと回転して前記下段部の前面に対して対向する略垂直状態になった時、該ハンドルの内面の磁石に前記リードスイッチが反応するものである（段落００１７、段落０１８）。そして、特許文献１の図３及び段落００２０には、前記センサの収納ボックス内には、電源、制御部、記憶部、送受信部等を含む送信回路が設けられ、前記センサが検知したハンドルの位置情報（施・解錠状態の信号）を監視装置に送信することができる旨が記載されている。
【０００４】
次に特許文献２は、上記特許文献１に関連する発明であり、その発明の課題は、表示灯を点滅或いは点灯させる電池の消耗を抑えることができる戸締まり確認システム及びサッシを提供することであり、その解決手段は、「サッシ等に設置されて、施錠、解錠信号を送信する複数の子機５と、複数の子機からの施錠、解錠信号を受信して、各子機に対応するサッシ等の施錠、解錠状態を表示する親機７とを備え、各子機５は、本システムの監視下に置かれていることを表示する表示手段を備え、この表示手段は、夜間部等の所定時間帯にのみ点滅或いは点灯し、それ以外の時間帯には消灯する表示器５４を備えたことを特徴とするものである（符号は特許文献２のもの）。
【０００５】
次に特許文献３は、当業者の間で、「カムラッチ」と称するロック装置に「スイッチ装置」を加味したサッシが、該スイッチ装置の各実施形態と共に記載されている。前記カムラッチは、カムラッチハンドルを備えた錠本体（ロック装置本体）が、当業者の間で、「障子」と称されている開閉体の縦框の適宜箇所に取付けられ、一方、固定側の傾斜面を有する受け具が前記開閉体を開閉自在に支持する矩形状枠体の縦枠の適宜箇所に設けられている。そして、前記スイッチ装置は、前記カムラッチハンドルの先端部に固着具を介して添設された磁石ホルダーと、前記固定側の受け具に内設されたリードスイッチとから構成されている。
【０００６】
したがって、「固定側の受け部と、この受け部に対して係脱するロック部を有する可動側のロック装置と、このロック装置に設けられ、かつ、該ロック装置のロック部のロック位置又は非ロック位置のいずれかを検知するスイッチを備える建具の開閉体用スイッチ装置」は、公知技術である。
【０００７】
なお、この明細書では、「ロック装置」の概念には、普通一般に、その構成自体から「クレセント錠、サムターン装置、グレモン錠」と認められる各種の錠前は当然のことながら、操作部材の先端部で開閉体をロックすることができる「カムラッチ」と称するもの、及びこれに類するものも含まれる。したがって、錠前及びカムラッチは、本願発明の先行技術文献となるが、ここでは主な先行技術文献のみを記載することにする。
【先行技術文献】
【特許文献】
【０００８】
【特許文献１】特開２００３−２７７８５号公報
【特許文献２】特開２００２−２１６２５８号公報
【特許文献３】特開２００３−１９３７１６号公報
【発明の概要】
【発明が解決しようとする課題】
【０００９】
特許文献１は、クレセントの台座に関連付けて、該台座とは別個のセンサを構成する正面視三段形状の収納ボックスが縦方向に固定されていると共に、前記収納ボックスの一番低い下段部にはリードスイッチが内設されていることから、製造段階で、クレセントとセンサをそれぞれ別個に作らなければならい、現場施工段階で、クレセントの台座とセンサの収納ボックスとの位置ずれが生じする等の問題がある。
【００１０】
また特許文献１、２は、センサが検知したハンドルの位置情報（施・解錠状態の信号）を監視装置に送信し、クレセントの施・解錠状態を集中管理することができる、電池の消耗を抑える等の利点を有するものの、例えば内障子を開いた状態でハンドルを上方に回転すると、センサは施錠信号を送信するので、ハンドルの誤操作を防止できないという問題点がある。
【００１１】
特許文献３は、スイッチ装置をカムラッチに後付けすることができるという利点があるものの、スイッチ装置を構成する一方の磁石を磁石ホルダー、固着具等を介してカムラッチハンドルの先端部に一体的に取付け、一方、スイッチ装置を構成する他方のリードスイッチを固定側の受け具に内設しなければならないので、取付けが非常に面倒である、カムラッチハンドルの先端部の形状が異なると、その形状に対応した磁石ホルダーを用意しなければならない等の問題点がある。このような背景技術に於いて、本願発明の主たる課題は、次に列挙することである。すなわち、
（１）本発明の各種の実施形態に共通する発明の主たる課題は、スイッチ装置のロック部（例えば操作部材に設けたロック部、操作部材の操作力によって移動や回動する施錠片のロック部など）の施・解錠の動作中、完全施錠位置又は完全解除位置になる前であっても、該ロック部が固定側の受け部に略かかる又は略外れる位置でスイッチ部のスイッチをＯＮ／ＯＦＦさせるためのスライダを確実に動かし、これにより前記スイッチの張替開始とすることである。実施形態如何によっては、例えば簡単な機構と合理的な手段により、開閉体に簡単に「スイッチ装置」を開閉体（例えば障子）の召合わせ框の見込み面、開閉体（例えば扉や引戸）の内壁面の自由端部等の所望する部位に取付けることができると共に、操作部材の回転始動に遅れて錠前の取付け台座に設けたスイッチＯＮ・ＯＦＦ用のスライド部材が動き始めるようにし、例えばクレセント錠の固定側の受け部から可動側のロック部（皿、或いはスプーン）が外れたか否か、又は可動側のロック部（皿、或いはスプーン）が固定側の受け部に係合したか否かの確認信号を検知することができることである。
付言すると、スライド部材始動用のタイミング部分に関して、簡単な機構と合理的な手段により、錠前の固定側の受け部から可動側のロック部が外れると略同時に、施錠信号を検知するスイッチがＯＮからＯＦＦに切り替わるようにし、一方、逆に前記可動側のロック部が固定側の受け部に係合すると略同時に、施錠信号を検知するスイッチがＯＦＦからＯＮに切り替わるようにすることができることである。
（２）また一つの錠前、例えば一つのクレセント錠に、錠本体の非ロック状態を検出する第１スイッチと、ロック部のロックを検出する第２スイッチをそれぞれ設けることにより、施・解錠信号を確実に検知することである（誤操作の防止）。
（３）さらに、例えば特開平９−１５８５８４号公報に記載されているにように、引き違い式の引戸における内障子が開いている場合に、操作部材の施錠方向への回転を阻止する回転阻止部材を備えているクレセント錠に適用することができることである。
（４）その他、従たる課題として、極力部品点数を減らし、製造コストを下げると共に、センサの管理並びに開閉体に対する取付けを容易にすること、スイッチ部を取付け台座内に組み込んでも、該取付け台座の前壁（表面）から開閉体の取付け面（例えば内障子の召合わせ框の見込み面）までの奥行（幅方向の寸法）を抑えること、主たる課題を達成することができるスイッチ装置、及び該スイッチ装置を備えたサッシを提供することである。
【課題を解決するための手段】
【００１２】
本発明の建具の開閉体用スイッチ装置は、固定側の受け部と、この受け部に対して係脱する可動側のロック部を有するロック装置と、このロック装置用の取付け台座と、前記ロック装置のロック位置又は非ロック位置のいずれかを検知するスイッチを備える建具の開閉体用スイッチ装置であって、前記ロック部は、前記取付け台座に設けられた操作部材の操作力により前記ロック位置又は非ロック位置のいずれかに移動し、  一方、スイッチ装置は、前記取付け台座に前記操作部材の軸部が設けられていると共に、該軸部に一体的に設けられた駆動体に互いの連係部を介して接続するスライド部材と、このスライド部材の位置変位によってＯＮ・ＯＦＦするスイッチとを含み、前記互いの連係部は、前記操作部材の操作力により弧状の軌跡を描く係合部と、これに係合する係合用案内部であり、前記係合用案内部は、前記係合部が停止する上死点部分と下死点部分の間の中途部位に、該係合ピンが前記上死点部分又は下死点部分のいずれかの方向へ移行中に、前記ロック部が前記受け部から外れる又は前記ロック部が前記受け部に係合する態様に相応するスライド部材始動用のタイミング部分を有することを特徴とする（請求項１）。
【００１３】
また本発明の建具の開閉体用スイッチ装置は、固定側の受け部と、この受け部に対して係脱する可動側のロック部を有するロック装置と、ロック装置用の取付け台座と、前記ロック装置のロック位置又は非ロック位置のいずれかを検知するスイッチを備える建具の開閉体用スイッチ装置であって、前記ロック部は、前記取付け台座に設けられた操作部材の操作力により前記ロック位置又は非ロック位置のいずれかに移動し、スイッチ装置は、前記取付け台座に前記操作部材の軸部が設けられていると共に、該軸部に一体的に設けられた駆動体に互いの連係部を介して接続するスライド部材と、このスライド部材の位置変位によってＯＮ・ＯＦＦするスイッチとを含み、前記互いの連係部は、前記操作部材の操作力により軌跡を描く係合部と、これに係合する垂直長孔状の切欠部であり、前記垂直長孔状の切欠部は、前記係合腕が停止する上死点部分と下死点部分の間に、該係合腕が前記上死点部分又は下死点部分のいずれかの方向へ移行中に、前記ロック部が前記受け部から外れる又は前記ロック部が前記受け部に係合する態様に相応するスライド部材始動用のタイミング部分を有することを特徴とする（請求項４）。
【００１４】
さらに、サッシは、上記の各独立請求項に記載の建具の開閉体用スイッチ装置をそれぞれ主要部とするサッシであって、これらのサッシは、それぞれ枠体に固定側の受け部を備え、一方、前記受け部に対して係脱するロック部を有する可動側のロック装置が開閉体に設けられ、該開閉体は前記枠体に開閉自在に設けられていることを特徴とする。
【００１５】
加えて、実施形態如何によっては、上記構成に於いて、前記係合用案内部は、全体として略弧状の溝又は切欠のいずれかに形成され、該係合用案内部の内周面に設けられた前記スライド部材始動用のタイミング部分は、少なくとも前記受け部から前記ロック部が外れる時と、一方、該受け部に該ロック部が係合する時の合計２個であることを特徴とする。また、前記ロック装置は取付け台座を有するクレセント錠であり、このクレセント錠を構成する受け部が開閉体としての引き違い外障子の召合わせ框に固定され、一方、ロック部を有する操作部材が前記取付け台座を介して前記外障子と対となる内障子の召合わせ框の見込み面に設けられ、該操作部材は、前記外障子と前記内障子が完全に閉じている場合には該操作部材を施錠位置まで回転させることができ、一方、前記内障子が開いている場合には前記操作部材の施錠方向への回転を阻止する回転阻止部材を備えていることを特徴とする。またスイッチは、スライド部材が移動する方向に対応して、ロック部の非ロック状態を検出する第１スイッチと、ロック部のロックを検出する第２スイッチが所定間隔を有してスライド部材の移動方向に併設されていることを特徴とする。加えて、取付け台座は、長板状底板と、この長板状底板の一端部側上面に設けられ、かつ、複数のスイッチを収納する収納部、この収納部に該取付け台座の長手方向に連設すると共に、前記長板状底板の他端部側上面に設けられ、かつ、操作部材の軸部が取り付けられる台座本体部及びこの台座本体部に形成された固定手段用取付け部を有する取付けベース板とから成ることを特徴とする。
【発明の効果】
【００１６】
本発明は、スイッチ装置のロック部（例えば操作部材に設けたロック部、操作部材の操作力によって移動や回動する施錠片のロック部など）の施・解錠の動作中、完全施錠位置又は完全解除位置になる前であっても、該ロック部が固定側の受け部に略かかる又は略外れる位置でスイッチ部のスイッチをＯＮ／ＯＦＦさせるためのスライダを確実に動かし、これにより前記スイッチの張替開始とすることができる。そして、実施形態如何によっては、簡単な機構と合理的な手段により、開閉体に簡単に「スイッチ装置」を取付けることができると共に、例えば操作部材の回転始動に遅れて錠前の取付け台座に設けたスイッチＯＮ・ＯＦＦ用のスライド部材が動き始めるようにし、例えばクレセント錠の固定側の受け部から可動側のロック部（皿、或いはスプーン）が外れたか否か、又は可動側のロック部（皿、或いはスプーン）が固定側の受け部に係合したか否かの確認信号を検知することができる。また一つの錠前、例えば一つのクレセント錠に、錠本体の非ロック状態を検出する第１スイッチと、ロック部のロックを検出する第２スイッチをそれぞれ設けることにより、施・解錠信号を確実に検知することができる。
【００１７】
なお、この明細書の「ロック装置」の概念には、普通一般に、その構成自体から「クレセント錠、サムターン装置」と認められる錠前は当然のことながら、操作部材の先端で開閉体をロックすることができる「カムラッチ」と称するもの、及びこれに類するものも含まれるので、これらの錠前やカムラッチも、クレセント錠と同様の効果がある。その他「鎌片」を備えたスライド錠も同様の効果がある。
【図面の簡単な説明】
【００１８】
図１乃至図２１は本発明の第１実施形態（クレセント錠等）を示す各説明図。図２２は第１実施形態のクレセント錠等に周知技術を加味した説明図。図２３乃至図２８は本発明の第２実施形態（カムラッチ等）を示す各説明図。図２９乃至図３９は本発明の第３実施形態（サムターン装置等）を示す各説明図。図４０乃至図４６は第４実施形態（第１のスライダ錠等）を示す各説明図。図４７乃至図５１は第５実施形態（第２のスライダ錠等）を示す各説明図。
【図１】本発明を含むサッシを室内側から見た概略正面図。
【図２】便宜上、内障子を矢印方向に多少移動させ、本発明の主要部を室内側から見た概略説明図。
【図３】図２の３−３線に基づくクレセント錠の取付け態様を示す概略説明図。
【図４】クレセント錠の取付け態様を示す斜視からの概略説明図。
【図５】開錠位置におけるクレセント錠の正面視からの説明図。
【図６】施錠位置におけるクレセント錠の正面視からの説明図。
【図７】図６の７−７線断面図（摺動片と共働片の一体構成の拡大図を含む）。
【図８】図７の一部（摺動片と共働片の係合状態）を示す拡大断面説明図。
【図９】図６の９−９線拡大断面説明図。
【図１０】長板状底板側から見た取付け台座の説明図（背面図）。
【図１１】取付け台座を構成する長板状底板と、収納部・台座本体部・固定手段用取付け部等を有する取付けベース板の斜視図。
【図１２】（ａ）取付けベース板の収納部に嵌め込まれるスイッチ部用蓋体の斜視図。（ｂ）取付けベース板の台座本体部に嵌め込まれる下部側の複数個の固定手段用蓋体の斜視図。
【図１３】操作部材の軸部に設けた駆動カムの係合部と摺動片の係合関係を示す説明図。
【図１４】摺動片の説明図（共働片も含む）。
【図１５】押釦式スイッチの斜視図。
【図１６】押釦式スイッチの正面図。
【図１７】（ａ）は開錠位置、一方（ｂ）は施錠位置を示す説明図。
【図１８】本発明の要部の概略説明図。
【図１９】（ａ）乃至（ｃ）は、スライド部材４０を裏側から見た作動状態の各説明図。
【図２０】（ａ）はロック部が受け部から外れ、かつ、スライド部材は下降して停止位置になった状態を示す。（ｂ）は操作部材９が弧状の第２案内部分４２ｂの下死点部分ｂまで移行し、完全に解錠位置まで達したことを示す。
【図２１】（ａ）、（ｂ）は操作部材９を逆方向に回し、係合ピンが完全な解錠位置から完全な施錠位置へと移行する各説明図。
【図２２】本発明の第１実施形態のクレセント錠が回転阻止部材を備えている旨の説明図。
【図２３】本発明の第２実施形態（カムラッチ等）を含むサッシを室内側から見た概略正面図。
【図２４】図５と同様の非ロック位置におけるカムラッチの正面視からの説明図。
【図２５】図６と同様のロック位置におけるカムラッチの正面視からの説明図。
【図２６】カムラッチの非ロックを示す斜視からの概略説明図。
【図２７】カムラッチのロックを示す斜視からの概略説明図。
【図２８】要部を示す概略断面説明図。
【図２９】本発明の第３実施形態（サムターン装置等）の平面視から見た概略説明図。
【図３０】図５と同様の非ロック位置におけるサムターン装置の正面視からの説明図。
【図３１】サムターン装置の要部）を示す説明図。
【図３２】サムターン装置の要部（台座等）を正面視から示す概略説明図。
【図３３】図３２の側面視から示す概略説明図。
【図３４】要部（サムターン摘み等）の分解斜視図。
【図３５】要部（駆動体等）の分解斜視図。
【図３６】完全解錠位置を示す説明図。
【図３７】駆動体の回転途中で施錠を検知するタイミング位置を示す説明図。
【図３８】完全施錠位置を示す説明図。
【図３９】駆動体の回転途中で解錠を検知するタイミング位置を示す説明図。
【図４０】本発明の第４実施形態（第１のスライダ錠等）の環境を示す説明図。
【図４１】操作部材と、取付け台座の説明図。
【図４２】要部を示す概略断面説明図。
【図４３】スライダ錠の内部構成を示す概略説明図（完全解錠状態）。
【図４４】取付け台座内のスライド部材が、完全解錠位置にある説明図。
【図４５】スライダ錠の内部構成を示す概略説明図（完全施錠状態）。
【図４６】取付け台座内のスライド部材が、完全施錠位置にある説明図。
【図４７】本発明の第５実施形態（第２のスライダ錠等）の環境を示す説明図。
【図４８】取付け座板８０と操作部材９と外観構成図。
【図４９】取付け座板８０と操作部材９と概略断面説明図。
【図５０】錠本体１１のロック部１４が錠箱２０内に完全に没入した説明図。
【図５１】錠本体１１のロック部１４が錠箱２０からに完全に突出した説明図。
【発明を実施するための形態】
【００１９】
（１）サッシ／環境部材
図１は本発明を含むサッシを室内側から見た概略正面図である。まず、図１を参照にして本発明を含むサッシを説明する。Ｘは引き違い式のサッシで、このサッシＸは、方形の枠体２と、この枠体２内にスライド開閉可能に取り付けられた内障子３と外障子４とから成る。周知の如く、サッシＸは、例えば建物の窓の開口部５に設けられ、後述するスイッチ装置７（第１実施形態では「クレセント錠」とも言う）が非ロックの場合には、図２で示すように、前記内障子３を室内側から開けることができる。なお、内障子３は、上框、下框および両側の縦框とから成る框３ａと、この框３ａ内に嵌め込まれたガラス３ｂから成る。同様に外障子４も上框、下框および両側の縦框とから成る框体４ａと、この框体４ａ内に嵌め込まれたガラス４ｂとから成る。
【００２０】
次に、図２は便宜上内障子を矢印方向に多少移動させ、本発明の主要部を室内側から見た概略説明図、図３は図２の３−３線に基づくクレセント錠の取付け態様を示す概略説明図、そして、図４はスイッチ装置の一例であるクレセント錠の取付け態様を示す斜視からの概略説明図である。なお、ここで「スイッチ装置」は、錠前のロック、非ロック等の施・解錠機能を含むものである。また錠前の用語は、ロック装置と同様である。
【００２１】
これらの図を参照にして、クレセント錠（スイッチ装置）７の構成と、その取付け態様を簡単に説明する。スイッチ装置としてのクレセント錠７は、固定側の受け部８と、施・解錠するための操作部材９と、この操作部材用の取付け台座１０と、この取付け台座１０の一部に設けられた可動側のロック部（第１実施形態では「掛け部」とも言う）１４を有する錠本体（ロック装置本体）１１と、この錠本体１１の前記操作部材９が解錠位置又は施錠位置か否か、換言すれば、クレセント錠７が「解錠状態」であるか、それとも「ロック」を検知或いは感知することができるように前記取付け台座１０の長手方向の一部に一体的に設けられた単数又は複数のスイッチ１２を有するスイッチ部１３（例えば図８を参照）とから成る。なお、前記操作部材９は、回転式又はスライド式のいずれであっても良い。
【００２２】
前記固定側の受け部８は、例えば図２、図３等で示すように、開閉体としての引き違い外障子４の召合わせ框に固定され、一方、錠本体１１及びスイッチ部１３は、実施形態では操作部材用の取付け台座１０を介して外障子４と対となる内障子３の召合わせ框の見込み面に固定されている。
【００２３】
したがって、サッシＸに軸足を置いた場合、実施形態のサッシＸは、スイッチ装置がクレセント錠７であり、このクレセント錠７を構成する受け部８が外障子４の召合わせ框に固定され、一方、錠本体１１及びスイッチ１２を有するボックス状のスイッチ部１３が内障子３の召合わせ框に固定され、前記受け部８にスイッチを構成する他の部材（例えばリードスイッチ等）は配設されていない。
【００２４】
周知の如く、クレセント錠７の錠本体１１の掛け部（ロック部）１４は、操作部材９の施錠方向への回動操作により回動しつつ外障子４側に延出可能である。そして、開閉体が完全閉鎖状態で前記操作部材９が施錠位置まで回転すると、可動側の掛け部１４は、固定側の受け部（クレセント受け）８に完全に係合する。この時、前記スイッチ１２は、後述する長片状の摺動片が操作部材９の操作力により位置変位（実施形態では上方にスライド）するので、例えばＯＮとなり、ロックを検知或いは感知する。一方、開閉体が完全閉鎖状態で前記操作部材９が解錠位置まで回転すると、或いは可動側の掛け部１４が固定側の受け部（クレセント受け）８から離れると、長片状の摺動片がハンドルの操作力により位置変位（実施形態では下方にスライド）するので、前記スイッチ１２は、例えばＯＦＦとなり、解錠状態を検知或いは感知する。
【００２５】
実施形態では、スイッチ１２を構成するスイッチ要素（押釦、ホール素子、可動接片等）は、長片状の摺動片の一端部に一体成形された或いは該摺動片と共働するように前記一端部に一体的に設けられた共働片の位置変位（実施形態では、上下方向）に対応して、複数個（例えば合計２個、３個等）、所定間隔を有してかつ略水平状態に配設されている。主要部のクレセント錠７については後述する。
【００２６】
ところで、前記掛け部１４は、金属板からなる取付け基板部１５を有し、この取付け基板部の一部を略円弧状に折り曲げ加工して形成されている。一方、前記固定側の受け部（クレセント受け）８は、剛性を有する金属板であり、先端部が内障子４側にＵ字状に折り曲げられ、且つ掛け部１４が係合しやすいように断面円弧状に加工された受部を有している。また前記操作部材９の基部には、後述する回動軸（軸部）９ｂ及び駆動カム１７が一体的に設けられ、該回動軸（軸部）９ｂ及び駆動カム１７は操作部材９と共働回転する。その他クレセント錠７は、設計如何によっては施錠位置にある操作部材９をロックするスライド摘みやダイヤル部材を有するロック手段１８を適宜に備えている。また、開閉体が開いている時に操作部材９を施錠方向に回動した時、所定の位置で停止させる回動阻止機構及び該回動阻止機構を解除する解錠機構を適宜に備え、又は備えていない（例えば特開平９−１５８５８４号公報を参照）。
【００２７】
（２）主要部の構成／スイッチ装置／クレセント錠７
まず、図１０乃至図１２を参照にして、スイッチ装置としてのクレセント錠７の取付け台座１０の構成から説明する。図１０は長板状底板側から見た取付け台座１０の説明図、図１１は長尺状の取付け台座１０を構成する長板状底板２１と、収納部２７・台座本体部２８・固定手段用取付け部２９等を有する取付けベース板２２の斜視図、図１２の（ａ）は取付けベース板２２の収納部２７の前開口に嵌め込まれるスイッチ部用蓋体２３の斜視図、そして、図１２の（ｂ）は取付けベース板２２の台座本体部２８の外向き凹所に嵌め込まれる下部側の複数個の固定手段用蓋体２４，２５の斜視図である。
【００２８】
図１乃至図４で示すように、普通一般にクレセント錠７の受け部８は、開閉体としての引き違い外障子４の召合わせ框４ａに固定され、一方、クレセント錠の錠本体１１は、前記外障子４と対となる内障子３の框３ａの召合わせ框の見込み面に取付け台座１０を介して固定されるので、該取付け台座１０は、普通一般に前記召合わせ框の見込み面に略垂直状態に固定される。
【００２９】
しかして、実施形態の長尺状の取付け台座１０は、長板状底板２１と、この長板状底板２１の一端部２１ａ側の上面に設けられたボックス状のスイッチ部１３を外嵌合状態に収納する収納部２７、この収納部に該取付け台座の長手方向に連設すると共に、前記長板状底板の他端部２１ｅ側の上面に設けられ、かつ、操作部材９のハンドル部９ａと交差する軸部９ｂが取り付けられる台座本体部２８及びこの台座本体部に形成された複数の固定手段用取付け部２９とを有する取付けベース板２２とから成る。
【００３０】
前記長板状底板２１は、図１１で示すように、前述した一端部２１ａ（図面では上端部）と、この一端部２１ａに連設する一端部側の垂直板部２１ｂと、この垂直板部２１ｂに端面コ字形状の固着具用取付け部２１ｃを介して連設する他端部側の垂直板部２１ｄとか成り、前記一端部２１ａの略中央部、前記固着具用取付け部２１ｃの略中央部及び前記他端部２１ｅの隅部等には、それぞれ固着具２６用の不番の貫通小孔が形成されている。
【００３１】
一方、例えば図７、図１０等で示すように、前記取付けベース板２２は、前記長板状底板２１の周端部に略外嵌合した状態で、前述の複数個の固定手段２６を介して該長板状底板２１に一体的に固定されている。この取付けベース板２２は、金属又は合成樹脂製の縦長嵌合体であり、縦長嵌合体の環状周壁部分２２ａの後周端縁部は開口し、該開口は長板状底板２１に対する嵌合孔となっている。この取付けベース板２２の開口縁の細部的構成の説明は割愛するが、この取付けベース板２２の上部側は、前記環状周壁部分２２ａの中央部寄りの部位から上端周壁部分にかけて、前述したボックス状のスイッチ部１３を外嵌合状態に収納する収納部２７となっている。この収納部２７の大きさや形状は、ボックス状のスイッチ部１３が略縦長状の直方体形状なので、該直方体形状に対応する囲繞形式の上部側周壁部分となっていると共に、該上部側周壁部分の後周端縁部及び前周端縁部はそれぞれ連通状態に開口する。
【００３２】
したがって、ボックス状のスイッチ部１３を、前記前側開口又は後側開口のいずれかを介して収納部２７に容易に嵌め込むことができる。
【００３３】
また取付けベース板２２は、略中央部を含む下部側に、前述した台座本体部２８が収納部２７に連設形成され、該台座本体部２８は、好ましくは該収納部２７の長さ寸法よりも長く、かつ、収納部２７の上部側の周壁部分の前周端縁部よりも一段低い状態の縦長前壁部分２２ｂを有する。この台座本体部２８の縦長前壁部分２２ｂの略中央部は隆起状に突出する操作部材用取付け部２８ａとなっている。
【００３４】
したがって、該操作部材用取付け部２８ａの略中央部には軸部９ｂ用の軸孔２８ｂが形成されている。
【００３５】
また、台座本体部２８の前記操作部材用取付け部２８ａの上方と下方の各部位には、それぞれ外向き凹所を有する固定手段３０用取付け部２９、２９が形成されている。固定手段３０は複数のオネジであり、前記固定手段用取付け部２９は、これらのオネジのネジ部が貫通する縦長孔である。実施形態では、前記固定手段３０を目隠しするために前記凹所状固定手段３０用取付け部２９に係脱可能な上下一対の固定手段用蓋体２４、２５が用意されている。各固定手段用蓋体２４、２５の一端部の内面に突設された水平方向の係合部としての係合爪片３１は、前記台座本体部２８の適宜箇所、例えば上下の固定手段３０用取付け部２９、２９にそれぞれ形成した水平方向の被係合部としての水平係合孔３２に係合する。前記係合爪片３１と水平係合孔３２は任意な設計変更し得る事項であり、上方と下方の固定手段用蓋体２４、２５用の係止手段となる。
【００３６】
さらに、実施形態の取付け台座１０は、少なくとも収納部２７に形成した単数又は複数の上部の被係合部（例えば係合溝、係合孔等）３３と係合する蓋体係合部（例えば弾性係合爪片）３４を有するスイッチ部用蓋体２３を備えている。スイッチ部用蓋体２３を収納部２７の前側開口２７ａに嵌着すると、後述するボックス状のスイッチ部１３は見えなくなる。
【００３７】
ところで、クレセント錠７の操作部材９は、例えば図６及び図７で示すように、台座本体部２８の縦長前壁部分２２ｂの前面に多少の間隙を有して垂直状態に位置位置付けられるハンドル部９ａと、このハンドル部９ａの基端部に設けられた軸部（クレセント軸）９ｂと、該軸部９ｂに固定的に設けられた掛け部１４を有する錠本体１１とから成り、前記軸部（クレセント軸）９ｂは台座本体部２８の軸孔２８ｂを貫通し、該軸部９ｂの内端部には、該クレセント軸と共働する駆動カム１７が設けられ、この駆動カム１７の偏芯位置に設けた突起状の係合部（係合ピン）３８は縦長状のスライド部材（作動部材）４０に形成した弧状の案内部４２に係合し、該係合ピン３８が前記弧状案内部４２内を移行することによって摺動片４１が引き上げ又は引き下げられるように位置変位する（図１３を参照）。
【００３８】
上記構成に於いて、例えば図５はクレセント錠７の操作部材９が非ロック位置（解錠）であることを示し、一方、図６はクレセント錠７の操作部材９がロック位置（施錠）であることを示す。
【００３９】
前述したように、クレセント錠７の錠本体１１の掛け部（ロック部）１４は、操作部材９の施錠方向への回動操作により回動しつつ外障子４側に延出可能である。そして、開閉体が完全閉鎖状態で前記操作部材９が施錠位置まで回転すると、可動側の掛け部１４は、固定側の受け部（クレセント受け）８に完全に係合し、これと同時に、縦長状のスライド部材（作動部材）４０は、上方へと所定量スライドする。
【００４０】
しかして、スライド部材（作動部材）４０は、操作部材９の回転操作力によって取付け台座１０の長手方向に直線運動をする摺動片４１と、この摺動片の一端部（上端部）に一体成形された或いは該摺動片と共働するように前記一端部に一体的に設けられた共働片４３とから成る。前記共働片４３を設けた理由は、スイッチ部１３の複数のスイッチ１２をそれぞれ確実に押下するためである。前記スイッチ部１３の複数のスイッチ１２は、取付け台座１０の上部側の収納部２７内に一端部（上端部）側に位置するように一部又は全部（実施形態）が組み込まれ、かつ前記摺動片４１の位置変位によって、ＯＮ・ＯＦＦする。
【００４１】
なお、実施形態では、操作部材側の駆動カム１７と前記摺動片４１は、後述する互いの連係部（係合ピン３８と弧状の案内部４２）を介して接続し、この連係部の弧状の案内部４２が本発明の要部である（図１８乃至図２１を参照）。
【００４２】
ところで、前記共働片４３が摺動片４１の一端部に一体的に設けられている場合には、前記摺動片４１の一端部に位置決め突起４１ａ又は位置決め凹所のいずれかが設けられ、一方、前記共働片４３には、前記位置決め突起又は位置決め凹所のいずれかに対応する係合凹所又は係合突起のいずれかが設けられている。
【００４３】
（３）スイッチ部１３
図１５は、スイッチ部１３のスイッチが摺動片４１と同方向に移動する共働片４３の押圧によってＯＮ／ＯＦＦする押釦式スイッチである旨の斜視図、図１６は前記押釦式スイッチ１２が共働片４３の移動する方向に対応して、好ましくは、開閉体３、４のクレセント錠７の錠本体１１の非ロック状態を検出する第１スイッチ１２ａと、前記錠本体１１のロック状態を検出する第２スイッチ１２ｂが所定間隔を有して併設されている旨を示す。また図１７の（ａ）は開錠（解錠）位置を示し、一方、図１７（ｂ）は施錠位置を示す各説明図である。
【００４４】
実施形態では、一つの押釦式スイッチのＯＮ／ＯＦＦに基づいて、「ロック状態か、それとも非ロック状態か否か」を検知するのではなく、より好ましくは複数個（例えば上と下の合計２個のスイッチ）を用いる。図１７（ｂ）は施錠位置を示すことから、図７で示すように操作部材６のハンドル部９ａが上方に回転した場合である。この場合には同時にスライド部材４０も上方に移行し、下方の第１スイッチ１２ａの押下状態を完全に解除するのに対して、上方の第２スイッチ１２ｂを完全に押下した状態となる。実施形態のスライド部材４０の先端部に位置する共働片４３は、縦断面視、略横倒れ台形形状であり、上下端部に傾斜部４３ａを有し、これらの傾斜部４３ａの間に略垂直平坦部４３ｂが存在する。すなわち、実施形態の共働片４３は、好ましくは縦断面の形状が略横倒れ台形形状となっており、該共働片４３の上下往復運動中、該共働片４３の上下端部のいずれかの傾斜部４３ａで徐々に第１スイッチ１２ａ又は第２スイッチ１２ｂのいずれか一方を選択的に押し下げ、往復完了時、すなわち、開錠位置を示す図１７の（ａ）及び施錠位置を示す図１７（ｂ）の時、共働片４３の略垂直平坦部４３ｂが前記第１スイッチ１２ａ又は第２スイッチ１２ｂのいずれか一方を完全に押下する。これにより、「ロック状態か、それとも非ロック状態か否か」を確実に検知する。なお、ロック状態と非ロック状態とを切り替えるタイミングポイントは、ロック装置本体の可動座側のロック部１４が固定側の受け部８に係脱する時であることが好ましい。何故ならば、施錠検知位置から完全施錠位置になる、或いは逆に完全施錠位置から解錠検知位置なるまで、「ロック部１４の動作幅」が存在するからである。
【００４５】
以上のように、実施形態では、共働片４３を有するスライド部材４０の上下方向に移動に伴って下方の第１スイッチ１２ａがＯＦＦ状態になった時は上方の第２スイッチ１２ｂはＯＮ状態となり、それとは逆に上方の第２スイッチ１２ｂがＯＦＦ状態になった時は下方の第１スイッチ１２ａはＯＮ状態となるので、スイッチ部１３に論理回路（ロジック）を持たせることにより、ロック部１４が受け部８に係合したか、それともロック部１４が受け部８から外れたかを、図示しない制御部が確実に判別することができる。
【００４６】
（４）本発明の主要部／連係部３８、４２
本発明の連係部は、駆動体１７を介して又は介さないで（直接又は間接的に）連係する。この実施形態ではスライド部材４０は操作部材９側の駆動体１７を介して連係する。実施形態の連係部は、操作部材９側に設けられた係合ピン３８と、スライド部材４０側に形成された係合ピン用案内部４２である。
【００４７】
この主要部に関しては、図１８乃至図２１に具体的に示している。すなわち、図１８は本発明の要部（スライド部材４０の係合ピン用案内部４２）の概略説明図で、該図に於いて、４２は係合ピン用案内部４３で、駆動体に設けた係合ピン３８は、この係合ピン用案内部４２の上死点部分ａと下死点部分ｂの間を弧状の軌跡を描きながら移行する。前記上死点部分ａでは操作部材９は上向きであり、錠本体１１は完全施錠位置にある。一方、前記下死点部分ｂでは操作部材９は下向きであり、錠本体は完全解錠位置にある。実施形態では、上死点部分ａと下死点部分ｂの間に長尺状のスライド部材４０が動き始める始動ポイントが二か所あり、ここでは便宜上、「スライド部材始動用のタイミング部分Ｐ１、Ｐ２」という。前記タイミング部分Ｐ１は、スライド部材４０を押下するための略水平部分であり、一方、前記タイミング部分Ｐ２はスライド部材４０を押上するための略水平部分である。
【００４８】
ここで本発明の主要部を要約すると、互いの連係部３８、４２は、操作部材９の軸部９ｂと共働する駆動体１７に設けられ、かつ、前記操作部材９の操作力により弧状の軌跡を描く係合ピン３８と、前記駆動体１７、スイッチ部１３等を内装した取付け台座内に摺動自在に組み込まれたスライド部材４０に形成された前記係合ピン用案内部４２であり、前記係合ピン用案内部４２は、前記係合ピン３８が停止する上死点部分ａと下死点部分ｂの間の中途部位に、該係合ピン３８が前記上死点部分ａ又は下死点部分ｂのいずれかの方向へ移行中に、前記ロック部１４が前記受け部８から外れる又は前記ロック部１４が前記受け部８に係合する態様に相応するスライド部材始動用のタイミング部分を有するものである。
【００４９】
しかして、スライド部材４０の係合ピン用案内部４２は、全体として略弧状の溝又は切欠のいずれかに形成され、該係合ピン用案内部４２の内周面に設けられた前記スライド部材始動用のタイミング部分Ｐ１、Ｐ２は、実施形態では、少なくとも前記受け部８から前記ロック部１４が外れる時と、一方、該受け部８に該ロック部１４が係合する時の合計２個であることを特徴とする。もちろん、設計如何によっては、前記タイミング部分Ｐ１、Ｐ２を増減することができる。
【００５０】
図１８で示すように、係合ピン用案内部４２は、上死点部分ａ側に設けられた幅広状の第１案内部分４２ａと、この幅広状の第１案内部分の下辺の段差部分に連続する弧状の第２案内部分４２ｂとから成り、スライド部材始動用のタイミング部分Ｐ１、Ｐ２は、移行中の係合ピンが押下する前記第１案内部分の下辺の段差部分（略水平部分）Ｐ１と、移行中の係合ピンが押上する前記下辺の段差部分と略対向する上辺の略水平部分Ｐ２である。
さらに、図１９乃至図２１を参照にして、操作部材９を完全施錠位置から完全解錠位置へと回した場合と、その逆の態様の場合について説明する。まず図１９の（ａ）乃至（ｃ）は、スライド部材４０を裏側から見た作動状態の各説明図で、（ａ）は操作部材９がやや斜め上方に位置し、この時、ロック部１４が受け部８に完全に係合している施錠位置である。スライド部材４０は上昇・停止しており、かつ、係合ピン３８は上死点部分ａに位置していることを示す。（ｂ）は操作部材９を施錠位置から解錠方向へと回している状態で、例えば操作部材９が多少上方を指向した横状態の位置である。この時、スライド部材４０は動き始め位置となるので、移行中の係合ピン３８は第１案内部分の下辺の段差部分Ｐ１を押下する。（ｃ）は、操作部材９をさらに解錠方向へと回している状態で、例えば操作部材９が多少下向き指向した横状態の位置である。この時、スライド部材４０は下降中であると共に、ロック部１４が受け部８から外れる。
【００５１】
また図２０の（ａ）は、ロック部１４が受け部８から外れ、かつ、スライド部材４０は下降して停止位置（フルストローク位置）になった状態を示す。この時、操作部材９側の係合ピン３８は第１案内部分の下辺の段差部分Ｐ１から弧状の第２案内部分４２ｂの坂状連続端に入り始める。（ｂ）は操作部材９が弧状の第２案内部分４２ｂの下死点部分ｂまで移行し、完全に解錠位置まで達したことを示す。なお、操作部材９は弧状の第２案内部分４２ｂを移行する場合には、いわば空転状態となる。
【００５２】
さらに、図２１は、操作部材９を逆方向に回し、完全な解錠位置から完全な施錠位置になる場合の各説明図で、（ａ）はスライド部材４０が上方に動き始め位置となるので、移行中の係合ピン３８は第１案内部分４２ａの下辺の段差部分Ｐ１と略対向する上辺の略水平部分Ｐ２を押上することを示す。弧状の案内部の下死点部分ｂから前記上辺の略水平部分Ｐ２に達する間、操作部材９は、いわば空転状態となる。（ｂ）は操作部材９をさらに逆方向に回し続けるので、スライド部材４０が上昇することを示すと共に、ロック部１４が受け部８に係合し始めることを示す。そして、係合ピン３８は最終的には図１９の（ａ）で示したように上死点部分ａに達する。
【００５３】
ところで、スライド部材４０の係合ピン用案内部４２は、全体として略弧状の溝又は切欠のいずれかに形成され、該係合ピン用案内部４２の内周面に設けられた前記スライド部材始動用のタイミング部分Ｐ１、Ｐ２は、前記受け部８から前記ロック部１４が外れる時と、一方、該受け部に該ロック部１４が係合する時の合計２個であるが、前記タイミング部分Ｐ１、Ｐ２は、必ず２個である必要はなく、係合ピン用案内部４２の形状を適宜に設計変更することにより、変換ポイントを一か所にしても良い。
【００５４】
またスイッチ部１３の押釦式スイッチ１２は、任意に設計変更することができる。特に図示しないが、スイッチ１２は、摺動片４１と同方向に移動する共働片４３の磁石に反応する感応式のもの（例えばリードスイッチ）、又はホール素子を有するホールＩＣスイッチであっても良い。リードスイッチ又はホールＩＣスイッチのいずれの場合であっても、スイッチ１２は、リード線と適宜に接続する複数のリードスイッチ又はホール素子が共働片４３の移動する方向に所定間隔を有して、例えば合計２個ボックス状のケース内に所定間隔を有して配設され、共働片４３の永久磁石の接近・離反に応じてＯＮ／ＯＦする。
【００５５】
また特に図示しないが、実施形態のスイッチ装置７に於いて、このスイッチ装置は、操作部材９は回転式であることから、例えばサムターン装置であり、サムターン軸の内端部には該サムターン軸と共働する駆動体（例えば駆動カム）１７が設けられ、この駆動カム１７の半径外方向に延在する駆動腕が周方向に移行することによってスライド部材４０が引き上げ又は引き下げられるように位置変位するように構成しても良い。この場合前述した連係部は適宜に設計変更することができる。なお、スイッチ装置がサムターン装置である場合には、後述する第３実施形態の如く、スイッチ装置は、開閉体（例えば回転式扉）の自由端部に設けられた操作部材用の取付け台座に設けられる。
【００５６】
ところで、図２２は、本発明の第１実施形態のクレセント錠７が回転阻止部材６０を備えている旨の説明図である。本発明のスイッチ装置は、好ましくは、クレセント錠であり、このクレセント錠を構成する受け部８が開閉体としての引き違い外障子４の召合わせ框に固定され、一方、クレセント錠を構成する錠本体１１が前記外障子と対となる内障子３の召合わせ框３ａの見込み面に固定され、該クレセント錠の操作部材９は、図１で示すように、前記外障子４と前記内障子３が完全に閉じている場合には該操作部材９を施錠位置まで回転させることができ、一方、図２で示すように、前記内障子３が開いている場合には前記操作部材９の施錠方向への回転を阻止する回転阻止部材６０を備えている。
【００５７】
しかして、回転阻止部材６０は、カム面６１を有するロック手段用摺動体６２、該摺動体６２をロック方向に付勢する付勢手段６３から成り、操作部材９の軸部９ｂを介して錠本体１１に設けられ、前記ロック手段用摺動体６２に設けた爪状の係止部分６５は、長尺状の取付け基台１０側に設けた係合部分６４と係脱可能である。なお、この回転阻止部材６０の構成及び作用は、例えば特開平９−１５８５８４号公報の図７に記載されている公知乃至周知技術なので、詳細な説明は割愛する。
【実施例】
【００５８】
この欄では、「スイッチ装置」という課題の同一性から発明の単一性を有するものとして、操作部材９の操作によりロック部１４が位置変位するクレセント錠以外に、「操作部材９の操作によりロック部１４が位置変位するカムラッチ（ここではこれも錠前である）」、「操作部材９の操作によりロック部１４が位置変位するサムターン装置（これも錠前の一例である）」、「その他の錠前（操作部材が直線移動するスライド錠）」について言及する。
【００５９】
なお、これらのスイッチ装置の説明に当たって、前記第１実施形態と同一の部分には同一又は同様の符号を付し、各部材の動き、駆動体１７の回転途中で施錠並びに解錠を検知するタイミング位置、発明の課題等に関しては、重複する説明を割愛する。また当業者にとって「自明の事項」の説明は極力割愛する。
【００６０】
まず図２３乃至図２８は、本発明の第２実施形態（カムラッチ等）を示す各説明図である。具体的には、図２３は第２実施形態（カムラッチ等）を含むサッシを室内側から見た概略説明図、図２４は図５と同様の非ロック位置（開錠位置）におけるカムラッチの正面視からの説明図、図２５は図６と同様のロック位置（施錠位置）におけるカムラッチの正面視からの説明図、図２６はカムラッチの非ロック（解錠状態）を示す斜視からの概略説明図、図２７はカムラッチのロック（施錠状態）を示す斜視からの概略説明図、そして、図２８は操作部材、駆動体及びスライド部材の接続構成を示す概略断面説明図である。この第２実施形態のスイッチ装置７Ａが前記第１実施形態のそれと主に異なる事項は、操作部材９が、いわゆる「カムロックハンドル」になった点である。そこで主要部を簡単に説明する。
【００６１】
これらの図に於いて、サッシＸは、横滑り型の開閉体（例えば障子）３Ａの框体３ａに「スイッチ装置７Ａ」を備えている（図２３を参照）。前記框体３ａは、矩形状の枠体２に対して開放する側（図示しない複数の可動リンクを介して縦枠に連結された取付け基端部とは反端側の自由端部）の縦框である。スイッチ装置７Ａは框体３ａの略中央部に長尺状の取付け台座１０を介して固定されている。このスイッチ装置７Ａは、当業者の間で「カムロック」と称されている錠前の一種である。錠前の概念は、人によって解釈が異なるものの、ここではカムロックも「錠前」、つまり、「ロック装置」の一種である。
【００６２】
しかして、このスイッチ装置７Ａは、図２８で示すように長尺状の取付け台座１０の一端部側に軸部９ｂが嵌入する操作部材（この第２実施形態では「カムロックハンドル」とも言う）９と、この操作部材９の回転操作力により直線運動をするスライド部材４０と、このスライド部材４０の往復運動によって、前記カムロックハンドル９の先端部側に設けられたロック部１４が矩形状の枠体２の縦枠の略中央部に固定された受け具８に対して施錠状態又は解錠状態になったか否かを検知する単数又は複数（実施形態）のスイッチを有するスイッチ部１３を備えている。
【００６３】
このスイッチ装置７Ａも、前記取付け台座１０に前記カムロックハンドル９の軸部９ｂが設けられていると共に、該軸部９ｂに一体的に設けられた駆動体（例えば駆動カム）１７に互いの連係部３８、４２を介して接続するスライド部材４０と、このスライド部材の位置変位によってＯＮ・ＯＦＦする、好ましくは複数のスイッチ１２（１２ａ、１２ｂ）とを含み、前記互いの連係部３８、４２は、前記駆動体１７に設けられかつ前記カムロックハンドル９の操作力により弧状の軌跡を描く係合ピン３８と、前記スライド部材４０に形成された前記係合ピン用案内部４２であり、前記係合ピン用案内部４２は、前記係合ピン３８が停止する上死点部分と下死点部分の間の中途部位に、該係合ピン３８が前記上死点部分又は下死点部分のいずれかの方向へ移行中に、前記カムロックハンドル９の先端部側のロック部１４（錠本体１１）が前記受け部８から外れる又は前記のロック部１４（錠本体１１）が前記受け部８に係合する態様に相応するスライド部材始動用のタイミング部分を有する。したがって、第１実施形態と同一の作用・効果を有するものである。なお、操作部材（カムロックハンドル）９は、ハンドル部９ａと先端部に相当するロック部１４との間に斜め方向に延在する付番の連続部を有している。その余の具体的構成の説明は割愛する。
【００６４】
次に図２９乃至図３９は、第３実施形態（サムターン装置等）を示す各説明図である。具体的には、図３０は図５と同様の非ロック位置（開錠位置）におけるサムターン装置の正面視からの説明図、図３１はサムターン装置の要部（錠箱、デッドカム、デッドボルト）を示す説明図、図３２はサムターン装置を構成する取付け台座、サムターン摘み、駆動体、スライド部材等を正面視から示す概略説明図、図３３は図３２の側面視から示す概略説明図、図３４はサムターン摘み、駆動体、スライド部材の分解斜視図、図３５はデッドカム、デッドボルトの分解斜視図、図３６は完全解錠位置を示す説明図、図３７は駆動体の回転途中で施錠を検知するタイミング位置を示す説明図、図３８は完全施錠位置を示す説明図、そして、図３９は駆動体の回転途中で解錠を検知するタイミング位置を示す説明図である。
【００６５】
この第３実施形態のスイッチ装置７Ｂが前記第１実施形態のそれと主に異なる事項は、次のとおりである。（ａ）操作部材９が、いわゆる「サムターン摘み」である点、つまり、操作部材９のハンドル部９ａが指で摘まむことができる形状となっている点、（ｂ）操作部材９の軸部９ｂに一体的に連結される駆動体１７は、例えば図３４で示すように、いわゆるサムターンダルマとやや同様な構成となっている点、すなわち、前記軸部９ｂに一体的に結合する環状部分１７ａと、この環状部分の外周面の一部から半径外方向に所定量突出する係合腕１７ｂとから成る点、（ｃ）スライド部材４０と操作部材９の連係部が若干異なる点、すおわち、第１実施形態の係合ピン３８に相当する部材が「前記係合腕１７ｂ」であり、一方、第１実施形態の弧状の案内部４２に相当する箇所がスライド部材４０の長手方向の突壁部分４０ａの略中央部に形成された「複数個のタイミングポイントＰ１、Ｐ２（対向傾斜面の一部）を有する切欠部４２」である点、（ｄ）前記スライド部材４０の折り曲げ下端部の一側面に設けた位置決め突起４１ａに押圧部としての共働片４３が設けられている点、（ｅ）スイッチ部１３が、例えば図３３で示すように、取付け台座１０の下端部に組み込まれている点、（ｆ）その結果、スイッチ部１３の第１スイッチ１２ａと第２スイッチ１２ｂの位置が逆となっている点等である。
【００６６】
ところで、第３実施形態の連係部１７ｂ、４２は、第１実施形態の連係部３８、４２を置換したもの（均等論が適用され得る技術）であるが、前記係合腕１７ｂの先端部分が選択的に係合するタイミングポイントＰ１（図３４の図面上右上がり状傾斜面の一部）と、このタイミングポイントＰ１に対向するタイミングポイントＰ２（図３４の図面上右下がり状傾斜面の一部）との所定間隔Ｌは、先端部にロック部１４を有するデッドボルト１１の移動量、駆動体１７の回転量、係合腕１７ｂの長さや幅等を考慮して、例えば図１８で示した如く「若干の遊び」を設けるのが望ましい。
【００６７】
また図３５で示すデッドカム１９は、周知のデッドカムと同一であることから、前述した可動側のロック部としてのデッドボルト１１の構成も周知技術である。したがって、開閉体３Ｂ（例えば扉）の自由端部の木口に内設された錠箱２０（図２９参照）の内部構造の説明は割愛する。
【００６８】
以上の構成上の相違点を踏まえると、第２実施形態のスイッチ装置７Ｂは、「固定側の受け部８と、この受け部に対して係脱する可動側のロック部１４を有するデッドボルト１１を含むロック装置用の取付け台座１０と、前記デッドボルトのロック位置又は非ロック位置のいずれかを検知するスイッチ１２を備える建具の開閉体用スイッチ装置７Ｂであって、前記ロック部１４は、前記取付け台座に回転可能に設けられた操作部材９の回転操作力により前記ロック位置又は非ロック位置のいずれかに移動し、スイッチ装置は、さらに、前記取付け台座１０に前記操作部材９の軸部９ｂが設けられていると共に、該軸部に一体的に設けられた駆動体１７に互いの連係部（オス部分・メス部分）を介して接続するスライド部材４０と、このスライド部材の位置変位によってＯＮ・ＯＦＦするスイッチ１２とを含み、前記互いの連係部は、前記駆動体１７に設けられかつ前記操作部材９の操作力により弧状の軌跡を描く係合腕１７ｂと、前記スライド部材４０に形成された切欠部（例えば楔状溝や楔状切欠等）４２であり、前記切欠部４２は、前記係合腕１７ｂが停止する上死点部分と下死点部分の間に、該係合腕が前記上死点部分又は下死点部分のいずれかの方向へ移行中に、前記デッドボルトのロック部が前記受け部から外れる又は前記ロック部が前記受け部に係合する態様に相応するスライド部材始動用のタイミング部分（対向傾斜面）を有するもの」である。
【００６９】
次に図４０乃至図４６は第４実施形態（第１のスライダ錠等）を示す各説明図である。図４０は本発明の第４実施形態（第１のスライダ錠等）の環境を示す説明図、図４１は操作部材９と、取付け台座１０の説明図、図４２は操作部材９、取付け台座１０、開閉体としての引戸３Ｄの戸先内に設けられたスイッチ装置７Ｄを模式的に示した説明図、図４３はスイッチ装置７Ｄとしてのスライダ錠（これも錠前の一種）の内部構成を示す概略説明図で、先端部にロック部１４を有する錠本体（錠片としてのカマ）１１は完全解錠状態、一方、図４５は錠本体（錠片としてのカマ）１１が完全施錠状態、そして、図４４は取付け台座１０内のスライド部材４０が完全解錠位置にある説明図、一方、図４６はスライド部材４０が完全施錠位置にある説明図である。
【００７０】
ここで「スライダ錠」とは、操作部材９が直線運動をすると、錠本体（錠片）１１が完全解錠状態又は完全施錠位置のいずれかの方向に回転しながら錠箱のフロントを基準にして出没するものをいう。なお、この「スライダ錠」の概念には、前記錠本体（錠片）１１に連動して直線方向に移動するデッドボルトを加味したものも含まれる。ここでは発明の特定要件ではないことから、特に図示しない。
【００７１】
さて、操作部材９は、普通一般の引戸３Ｄを水平方向に開閉するものであることから、ハンドル部９ａは複数本の指を入れることができる把手部或いは摘み部形状に形成されている。ハンドル部９ａの垂直端面に直交する軸部９ｂは、取付け台座１０の内外の側壁の略中央部に形成された垂直の透孔１０ａと、該取付け台座１０にスライド可能に内設されたスライド部材４０の連係部（例えば垂直長孔）４２Ｄと、錠箱２０内のスライダ７０の垂直長孔７１をそれぞれ貫通している。
【００７２】
実施形態では、取付け台座１０のスライド部材４０と錠箱２０内のスライダ７０は略同一の形状及び長さであり、またスライド部材４０連係部（例えば垂直長孔）４２Ｄとスライダ７０の垂直長孔７１は略同一の形状及び長さである。したがって、操作部材９の軸部９ｂの長さは、適宜に設定されている。
【００７３】
取付け台座１０に内設されたスイッチ部１３は、第１実施形態と同様に取付け台座１０の上端部側に組み込まれ、押釦式の第１スイッチ１２ａと、押釦式の第２スイッチ１２ｂが所定間隔を有してスライド部材４０のスライドする方向（上下方向）に併設されている。図４８を基準にすると、下方の位置するのが「解錠状態」を検知し、上方に位置するのが「施錠状態」を検知する。もちろん、設計如何によっては、前記スイッチの位置を逆にしても良い。
【００７４】
しかして、この実施形態では、望ましくは錠本体１１が固定側の受け部８から外れる又は錠本体１１が前記受け部８に係合する態様に相応するスライド部材始動用のタイミング部分Ｐ１，Ｐ２は、スライド部材４０の連係部としての垂直長孔４２Ｄの上方の弧状縁部分と下方の弧状縁部分である。
【００７５】
さらにスイッチ装置７Ｄとしてのスライダ錠の構成について付言する。図４０で示すように、引戸３Ｄの戸先には、「スイッチ装置７Ｄ」が設けられていると共に、該スイッチ装置７Ｄを構成する錠本体（錠片）１１は、錠箱２０から出没可能である。実施形態のスライダ錠の錠本体１１は、いわゆる「鎌片」であり、操作部材９が直線運動をすると、垂直方向に位置変位する長板板或いは縦長枠状のスライダ７１によって錠箱２０のフロントを基準にして出没する。
【００７６】
前記スライダ７１のスライドによって錠本体１１を出没回動させる連動は、例えば図示の場合、錠箱２０内に錠箱の内壁、案内板等を介して上下方向に案内されるスライダ７１を組み込み、また、錠箱２０内に支軸７２を介し回動自在に錠本体（鎌片）１１を取付け、さらに、スライダ７１の側面から一体的に突出するピン７３を、錠本体に形成した切欠き７４に嵌め込むと共に、錠箱の壁の「く」の字状ガイド孔７５に挿入し、上方にスライダ７１をスライドさせると、該スライダ７１と共に移動するピン７３を介して錠本体１１が突出方向に回動し、一方、下方にスライダ７１をスライドさせると移動する前記ピン７３を介し錠本体１１が錠箱２０内に没入方向に回動する。  
【００７７】
なお、突出方向に回動した錠本体１１の鉤状のロック部１４は、錠箱２０の錠箱前面壁に設けてある貫窓から矩形状枠体２の受け部（受金具）８の貫窓８ａに嵌入して、受け部（受け金具）８に係止する。また、把持部型の操作部材９は、取付け座板を介して、又は介さないで、縦長ケース状の取付け台座１０に上下動自在に設けられる。その他、特に付番を付さないが、錠箱２０内には、スライダ錠に必要な、錠本体用の付勢バネ、スライダ７１用のクリックバネ、スライダ７１を解錠位置に保持するための阻止片、阻止片用の付勢バネ、スライダ７１を所定位置に止めるストッパー等が適宜に設けられている。
【００７８】
上記構成に於いて、操作部材に手を掛けて開閉体としての引戸をスライドさせ、閉戸時、スライドするスライダ７０により錠本体１１のロック部１４を出没回動させることができると共に、取付け台座１０内のスライド部材４０も同時に前記スライダ７０と同じ方向に位置変位することから、錠本体１１の施錠、解錠の操作が極めて容易にかつ迅速であり、かつ、スイッチ装置７Ｄの第１スイッチ１２ａ又は第１スイッチ１２ｂのいずれかが作動し、スライダ錠の施錠状態と解錠状態を確実に検知することができる。
【００７９】
したがって、第１実施形態の構成と、上記説明を踏まえると、「建具の開閉体用スイッチ装置７Ｄ」は、固定側の受け部８と、この受け部に対して係脱する可動側のロック部１４を有するロック装置１１と、このロック装置用の取付け台座１０と、前記ロック装置のロック位置又は非ロック位置のいずれかを検知するスイッチ１２を備える建具の開閉体用スイッチ装置であって、前記ロック部１４は、前記取付け台座１０に設けられた操作部材９の直線移動により前記ロック位置又は非ロック位置のいずれかに移動し、一方、スイッチ装置は、前記取付け台座に前記操作部材の軸部が設けられていると共に、スイッチ装置は、前記取付け台座１０に前記操作部材９の軸部９ｂが設けられていると共に、前記取付け台座にスライド可能に内設されかつ前記軸部に垂直長孔状の連係部４０Ｄを介して接続するスライド部材４０と、このスライド部材の位置変位によってＯＮ・ＯＦＦする解錠位置検知用のスイッチ１２ａと施錠位置検知用スイッチ１２ｂを含む。そして、スライド部材始動用のタイミング部分Ｐ１、Ｐ２は、垂直長孔状連係部４０Ｄの下方の縁部分と上方の縁部分である。
【００８０】
最後に図４７乃至図５１は第５実施形態（第２のスライダ錠等）を示す各説明図である。この第２のスライダ錠としての「スイッチ装置７Ｅ」は、前記第４実施形態（第１のスライダ錠等）の設変更例であり、例えば第１実施形態と同様に、方形の枠体２に、「内外の障子３、４」が設けられた引き違い引戸に適用される。
【００８１】
したがって、固定側の受け部８外障子に固定され、これに対向するスイッチ装置７Ｅは内障子３に固定される。この第５実施形態のスイッチ装置７Ｅに関する同一構成・同一の作用については、第１実施形態や第４実施形態のそれを援用する。
【００８２】
ここで、第４実施形態を特定発明とした場合に於いて、該第４実施形態と主に異なる事項は、（ａ）適用対象が引き違い引戸である点、（ｂ）操作部材９は、縦型状錠箱２０の後壁２０ａ側に取付け台座１０を介して設けられている点、（ｃ）第２のスライダ錠の錠箱内の構成部材の接続態様が異なる点、（ｄ）図示しない錠箱内の各部材の接続構成が若干異なる点である。
【００８３】
であるから、第５実施形態のスイッチ装置７Ｅは、第４実施形態（第１のスライダ錠等）と同一である。すなわち、「取付け台座１０にスライド可能に内設されかつ操作部材９の軸部９ｂに垂直長孔状の連係部４０Ｅを介して接続するスライド部材４０と、このスライド部材の位置変位によってＯＮ・ＯＦＦする解錠位置検知用のスイッチ１２ａと施錠位置検知用スイッチ１２ｂを含む点、スライド部材始動用のタイミング部分Ｐ１、Ｐ２は、垂直長孔状連係部４０Ｄの下方の縁部分と上方の縁部分である点」は、第４実施形態と同一なので、第４実施例と同一又は同様の符号を付して重複する説明は割愛する。なお、符号８０は操作部材９用の取付け座板である。錠箱２０の内部構造の詳細は、本発明の特定事項に関係がないので、割愛する。
【産業上の利用可能性】
【００８４】
本発明は建具に用いられる。例えばクレセント錠、カムラッチ、サムターン装置、スライダ錠等に適用できる。
【符号の説明】
【００８５】
Ｘ…建具（サッシ）、２…枠体、
３…開閉体（例えば内障子）、
４…開閉体（例えば外障子）、
５…窓の開口部、
７…クレセント錠（クレセント錠）、
８…受け部、
９…操作部材、
９ａ…ハンドル部、９ｂ…軸部、
１０…取付け台座、
１１…錠本体、
１２…スイッチ、
１２ａ…第１スイッチ、１２ｂ…第２スイッチ、
１３…スイッチ部（センサ）、
１４…ロック部（例えば掛け部）、
１５…取付け基板部、
１７…駆動カム、
１８…ロック手段、
２１…長板状底板、
２２…取付けベース板、
２２ａ…周壁部分、２２ｂ…縦長前壁部分、
２３…スイッチ部用蓋体、
２４…上方の固定手段用蓋体、
２５…下方の固定手段用蓋体、
２７…収納部、
２８…台座本体部、
２９…固定手段用取付け部、
３０…固定手段、
３１…係合部、３２…被係合部、
３３…上部の被係合部、３４…蓋体係合部、
３８…連係部（係合ピン）、
４０…スライド部材、
４１…摺動片、
４２…連係部（弧状の案内部）、
４２ａ…第１案内部分、
４２ｂ…第２案内部分、
ａ…上死点部分、
ｂ…下死点部分、
Ｐ１…下辺の段差部分（略水平部分）  、
Ｐ２…上辺の略水平部分、
４３…共働片、
４３ａ…傾斜部、４３ｂ…略垂直平坦部、
６０…回転阻止部材。
【図１】
2019157574.tif 000003
【図２】
2019157574.tif 000004
【図３】
2019157574.tif 000005
【図４】
2019157574.tif 000006
【図５】
2019157574.tif 000007
【図６】
2019157574.tif 000008
【図７】
2019157574.tif 000009
【図８】
2019157574.tif 000010
【図９】
2019157574.tif 000011
【図１０】
2019157574.tif 000012
【図１１】
2019157574.tif 000013
【図１２】
2019157574.tif 000014
【図１３】
2019157574.tif 000015
【図１４】
2019157574.tif 000016
【図１５】
2019157574.tif 000017
【図１６】
2019157574.tif 000018
【図１７】
2019157574.tif 000019
【図１８】
2019157574.tif 000020
【図１９】
2019157574.tif 000021
【図２０】
2019157574.tif 000022
【図２１】
2019157574.tif 000023
【図２２】
2019157574.tif 000024
【図２３】
2019157574.tif 000025
【図２４】
2019157574.tif 000026
【図２５】
2019157574.tif 000027
【図２６】
2019157574.tif 000028
【図２７】
2019157574.tif 000029
【図２８】
2019157574.tif 000030
【図２９】
2019157574.tif 000031
【図３０】
2019157574.tif 000032
【図３１】
2019157574.tif 000033
【図３２】
2019157574.tif 000034
【図３３】
2019157574.tif 000035
【図３４】
2019157574.tif 000036
【図３５】
2019157574.tif 000037
【図３６】
2019157574.tif 000038
【図３７】
2019157574.tif 000039
【図３８】
2019157574.tif 000040
【図３９】
2019157574.tif 000041
【図４０】
2019157574.tif 000042
【図４１】
2019157574.tif 000043
【図４２】
2019157574.tif 000044
【図４３】
2019157574.tif 000045
【図４４】
2019157574.tif 000046
【図４５】
2019157574.tif 000047
【図４６】
2019157574.tif 000048
【図４７】
2019157574.tif 000049
【図４８】
2019157574.tif 000050
【図４９】
2019157574.tif 000051
【図５０】
2019157574.tif 000052
【図５１】
2019157574.tif 000053